(57)【要約】      （修正有）【課題】配線構造を備えた仮設床構築物及びその構築方法を提供する。【解決手段】地面上に多数の盤状の敷板を縦横に敷設すると共に隣り合う敷板を相互に着脱自在に連結した仮設床構築物を構築する際に、分離した第１床構築物18Aと第２床構築物18Bを構築すると共に相互に離間させることにより、両床構築物の溝岸部19A,19Bの離間空間により地面上に所定溝幅とされた帯状の溝部19を形成し、該溝部の長手方向に延びる支持部材20を溝幅方向に間隔をあけて並設することにより複数の配線路21を形成すると共に、該配線路に電気ケーブルを挿通させた後、溝部を上方からカバー部材23により覆う構成とされており、前記カバー部材23は、溝幅方向に関して、溝部を覆う本体部24を前記支持部材20に支持し、該本体部の両側縁から延設された接支部25,26を前記溝岸部19A,19Bにオーバラップ状態で接支するように構成されている。【選択図】図４
2018003381.tif 000002
【特許請求の範囲】
【請求項１】
地面上に多数の盤状の敷板を縦横に隣接して敷設すると共に、隣り合う敷板を相互に着脱自在に連結することにより仮設床構築物を構築する方法において、
前記仮設床構築物を縦横方向の１方向に関して分離した第１床構築物(18A)と第２床構築物(18B)により構築すると共に、第１床構築物と第２床構築物を離間させることにより、両床構築物の相互に対向する敷板の列により形成された溝岸部(19A,19B)の離間空間により地面上に所定溝幅とされた帯状の溝部(19)を形成する工程と、
前記溝部を形成する地面上に該溝部の長手方向に延びる支持部材(20)を溝幅方向に間隔をあけて並設することにより複数の配線路(21)を形成する工程と、
前記配線路に電気ケーブルを挿通させた後、前記溝部を上方からカバー部材(23)により覆う工程を含み、
前記カバー部材(23)は、溝幅方向に関して、前記溝部を覆う本体部(24)と、該本体部の両側縁から延設された接支部(25,26)を備えており、
前記本体部(24)により前記溝部を上方から覆うと共に該本体部を前記支持部材(20)により支持し、前記接支部(25,26)を第１床構築物と第２床構築物の対向する前記溝岸部(19A,19B)にオーバラップ状態で接支させる工程とから成ることを特徴とする配線構造を備えた仮設床構築物の構築方法。
【請求項２】
地面上に縦横に隣接して敷設されると共に相互に連結手段を介して着脱自在に連結された盤状の敷板により構築された仮設床構築物であり、前記連結手段(6)は、隣り合う敷板の相互に設けた凹部(7)と凸部(8)を嵌合すると共に、嵌合された凹部と凸部を横断する貫通孔(7a,8a)に連結ロッド(9)を挿通して成る構成において、
前記仮設床構築物は、縦横方向の１方向に関して分離され相互に離間させられた第１床構築物(18A)と第２床構築物(18B)により構成され、両床構築物の相互に対向する敷板の列により形成された溝岸部(19A,19B)の離間空間により地面上に所定溝幅とされた帯状の溝部(19)を形成しており、
前記溝部を形成する地面上には、該溝部の長手方向に延びる支持部材(20)を溝幅方向に間隔をあけて並設することにより複数の配線路(21)が形成され、該配線路に電気ケーブルを挿通させた状態で前記溝部を上方からカバー部材(23)により覆われており、
前記カバー部材(23)は、溝幅方向に関して、溝部を覆う本体部(24)と、該本体部の両側縁から延設された第１接支部(25)と第２接支部(26)を備えており、
前記本体部(24)は、前記溝部を上方から覆うと共に前記支持部材(20)により支持され、前記第１接支部(25)及び第２接支部(26)は、第１床構築物と第２床構築物の対向する前記溝岸部(19A,19B)にオーバラップ状態で接支され、第１接支部(25)を第１床構築物の前記溝岸部(19A)に含まれる敷板の凹部(7)又は凸部(8)に着脱自在に固定する固定手段(27)を設けて成ることを特徴とする配線構造を備えた仮設床構築物。
【請求項３】
第１床構築物(18A)の前記溝岸部(19A)に含まれる敷板(1)は、前記凹部(7)の貫通孔(7A)に挿脱自在に進退移動させられる連結ロッド(9)を備えると共に、該連結ロッドを手動操作により進退移動させる操作開口部(10a)を敷板の上面に開設しており、
前記カバー部材(23)の第１接支部(25)は、下面に前記凹部(7)に嵌入される固定具(28)を設けると共に、該固定具に前記凹部の貫通孔に連通する固定孔(29)を設け、更に、前記操作開口部に臨む切欠き部(34)を形成して成ることを特徴とする請求項２に記載の配線構造を備えた仮設床構築物。
【請求項４】
前記カバー部材(23)の第２接支部(26)は、下面に第２床構築物(18B)の前記溝岸部(19B)に臨むストッパ手段(32)を設けて成ることを特徴とする請求項２又は３に記載の配線構造を備えた仮設床構築物。
【発明の詳細な説明】
【技術分野】
【０００１】
本発明は、舗装されていない砂地面や、舗装されている舗装地面や、競技用スタジアム等の芝生を植生した芝地面等の地面に構築される仮設床構築物に関して、電気ケーブルを配線するための配線構造を備えた仮設床構築物及びその構築方法に関する。
【背景技術】
【０００２】
例えば、建設現場や資材置き場等における地面は、フォークリフト等の重量車両や重機等が往来するため、砂地面の場合は、地面が荒れる問題があり、舗装地面の場合は舗装が損傷する問題がある。
【０００３】
また、競技用スタジアム等をコンサート等の大規模なイベント会場として利用する場合、観客等の群集が歩行したり、ステージ等を構築するための重機が走行したりすると、芝地面の芝生を損傷する問題がある。
【０００４】
そこで、本出願人は、上記のような各種の地面を保護するため、地面の上に縦横に敷設することにより仮設床構築物を構築する敷板を提案し、好評を博している。
【先行技術文献】
【特許文献】
【０００５】
【特許文献１】特許第４４９１４３５号公報
【特許文献２】特許第４６３９２２０号公報
【発明の概要】
【発明が解決しようとする課題】
【０００６】
本出願人が上記特許文献により提案した敷板は、縦横に敷設すると共に相互に着脱自在に連結することにより仮設床構築物を構築するものであり、図１に示すように、敷板１は、平面視を概ね矩形とした天板２により踏面３を形成し、前記天板２の周縁部に側壁４を垂設すると共に、該側壁４の内側に位置して前記天板２の下側に多数の補強リブ５を垂設している。
【０００７】
前記敷板１は、地面の上に多数の敷板を縦横に隣接して敷設することにより、地面を保護し、その際、隣り合う敷板１、１を相互に着脱自在かつ上下方向に揺動可能に連結するための連結手段６を設けている。
【０００８】
前記連結手段６は、隣り合う敷板１、１の側壁４に相互に嵌合自在に設けられた凹部７及び凸部８と、嵌合状態の凹部７及び凸部８を横断して貫通することにより枢結する連結ロッド９により構成されている。
【０００９】
図例の場合、敷板１の４辺のうち、相互に対向する一方の２辺に位置する側壁４、４にそれぞれ凹部７を形成し、他方の２辺に位置する側壁４、４にそれぞれ凸部８を形成しており、従って、図２に示すように、隣り合う敷板１、１の一方を他方に対して周方向に９０度姿勢を変更した状態で配置することにより、一方の敷板１の凸部８が他方の敷板１の凹部８に嵌合させられる。
【００１０】
前記連結ロッド９は、凹部７に向けて進退移動自在となるように、側壁４と平行に延びる溝状の格納部１０に収容されており、天板２に開設された格納部１０の操作開口部１０ａを介して、上部空間から手動操作により進退移動させることができる。連結ロッド９は、尾端部にＬ形に折曲形成された操作片１１を備えており、該操作片１１を起伏回動することにより、格納部１０の折曲された枝部に格納又は引上げ自在とされている。そこで、敷設した敷板１、１の間で凹部７と凸部８を嵌合した状態で、連結ロッド９を前進させると、凹部７及び凸部８に形成された貫通孔７ａ、８ａに連結ロッド９が挿通され、凹部７と凸部８を分離不能に枢結する。従って、隣り合う敷板１、１は、相互に連結ロッド９の軸廻りに揺動可能である。
【００１１】
図２は、前記敷板１により仮設床構築物を構築する際、好ましい実施形態として本出願人が開発した未公開のユニット体１２を示しており、これによれば、地面上にユニット体１２を縦横に隣接して敷設し、隣り合うユニット体１２を相互に着脱自在に連結することにより、仮設床構築物が構築される。
【００１２】
ユニット体１２は、所定個数（図例では、Ｘ方向に８個、Ｙ方向に３個）の敷板１を縦横に列設すると共に隣り合う敷板を相互に前記連結手段６により連結した敷板群１３と、前記敷板群１３の全体に重ねられ部分的に固着された保持板１４により構成されている。
【００１３】
保持板１４は、前記敷板群１３の下面に重ねられると共に、該敷板群１３の縦横に列設された敷板１のうち、少なくとも縦横方向の端部（つまり四隅）に位置する敷板１に固着される。保持板１４は、復元力を有する可撓性の樹脂素材から成るフラット板により形成されており、従って、Ｘ方向に関して、曲線Ｘｂで示すように湾曲可能な可撓性を有すると共に、直線Ｘｓで示すように復元可能な復元力を有している。同様に、Ｙ方向に関して、曲線Ｙｂで示すように湾曲可能な可撓性を有すると共に、直線Ｙｓで示すように復元可能な復元力を有している。
【００１４】
このように構成したユニット体１２は、周囲に臨む敷板１の側壁４と連結手段６（連結ロッド９を含む凹部７及び凸部８）を露出した状態で臨ませており、地面の上に複数のユニット体１２を縦横に隣接して敷設した状態で、隣り合うユニット体１２、１２の間で対向する敷板１の連結手段６により着脱自在に連結され、これにより広面積にわたる仮設床構築物の構築を容易とする。
【００１５】
仮設床構築物を重量車両や重機等が走行することにより荷重を受ける場合、ユニット体１２は、保持板１４の撓みを介して、敷板群１３が地面に馴染むように上下方向に揺動可能であり、重量車両や重機等が走り去る等、前記荷重から解放されると、保持板１４が復元することにより、再び、敷板群１３が水平面上に整列させるように元の姿勢に復帰させられる。
【００１６】
例えば競技用スタジアム等をコンサート等の大規模なイベント会場とするために仮設床構築物を構築する場合、照明器具や音響機器等を設置する関係上、電源その他を目的とする電気ケーブルを配線する必要があり、その際、配線は、車両等の走行から保護できるように隠蔽することが求められる。
【００１７】
この点に関して、配線を隠蔽するためのケーブルプロテクター（商品名）と称される仮設配線保護具が公知であり、道路工事等、路上に配線を行うために提供されており、仮設床構築物においても利用可能である。
【００１８】
図３（Ａ）に示すように、仮設配線保護具１５は、溝部を備えたベース１６に該溝部を開閉自在とするカバー１７を設け、前記溝部の内部に仕切り壁により区成された複数の配線路を形成している。そこで、多数の敷板１を敷設することにより構築された仮設床構築物１８においても、所定個所に仮設配線保護具１５を載置し、前記ベース１６の配線路に電気ケーブルを挿通させた後、カバー１７を閉じた状態で使用することができる。仮設床構築物１８の上を車両等が走行しても、電気ケーブルは損傷することがなく、しかも、ベース１６の両側に傾斜面が形成されているので、車両の乗り越えを容易とする。
【００１９】
しかしながら、仮設配線保護具１５は、単に載置した状態で設置されているので、車両の走行等により容易にずれ動く問題があり、しかも、仮設床構築物１８の上に突出されているので、歩行者等がつまずいて転倒する危険がある。
【００２０】
特に、仮設床構築物１８は、地面（地肌を露出した地面や、芝生を植設した芝地面等）に敷板１を敷設することにより構築されるため、図３（Ｂ）に示すように、地面がフラットでない傾斜面や凹凸を有しており、その場合、敷設された敷板１もフラットでない不整状態とされるので、仮設配線保護具１５を安定した状態で設置することができない。例えば、図示のように、地面が中高斜面を有する個所においては、隣り合う敷板１ａ、１ｂが山形状に屈折させられるため、その上に仮設配線保護具１５を載置すると、ベース１６の両端部の下側に隙間Ｓ、Ｓが形成される。このため、仮設配線保護具１５は、容易にずれ動き、しかも、車両等が走行するたびにガタツキを生じるという問題がある。
【００２１】
以上に鑑み、本発明は、仮設床構築物の構築を完了した後に仮設配線保護具のような市販の既製品を使用するのではなく、仮設床構築物の構築段階で所望の配線を完璧に行うことができるようにした構築物とその構築方法を提供するものである。
【課題を解決するための手段】
【００２２】
そこで、本発明の配線構造を備えた構築物の構築方法が手段として構成したところは、地面上に多数の盤状の敷板を縦横に隣接して敷設すると共に、隣り合う敷板を相互に着脱自在に連結することにより仮設床構築物を構築する方法において、前記仮設床構築物を縦横方向の１方向に関して分離した第１床構築物と第２床構築物により構築すると共に、第１床構築物と第２床構築物を離間させることにより、両床構築物の相互に対向する敷板の列により形成された溝岸部の離間空間により地面上に所定溝幅とされた帯状の溝部を形成する工程と、前記溝部を形成する地面上に該溝部の長手方向に延びる支持部材を溝幅方向に間隔をあけて並設することにより複数の配線路を形成する工程と、前記配線路に電気ケーブルを挿通させた後、前記溝部を上方からカバー部材により覆う工程を含み、前記カバー部材は、溝幅方向に関して、前記溝部を覆う本体部と、該本体部の両側縁から延設された接支部を備えており、前記本体部により前記溝部を上方から覆うと共に該本体部を前記支持部材により支持し、前記接支部を第１床構築物と第２床構築物の対向する前記溝岸部にオーバラップ状態で接支させる工程とから成る点にある。
【００２３】
そして、本発明の配線構造を備えた構築物が手段として構成したところは、地面上に縦横に隣接して敷設されると共に相互に連結手段を介して着脱自在に連結された盤状の敷板により構築された仮設床構築物であり、前記連結手段は、隣り合う敷板の相互に設けた凹部と凸部を嵌合すると共に、嵌合された凹部と凸部を横断する貫通孔に連結ロッドを挿通して成る構成において、前記仮設床構築物は、縦横方向の１方向に関して分離され相互に離間させられた第１床構築物と第２床構築物により構成され、両床構築物の相互に対向する敷板の列により形成された溝岸部の離間空間により地面上に所定溝幅とされた帯状の溝部を形成しており、前記溝部を形成する地面上には、該溝部の長手方向に延びる支持部材を溝幅方向に間隔をあけて並設することにより複数の配線路が形成され、該配線路に電気ケーブルを挿通させた状態で前記溝部を上方からカバー部材により覆われており、前記カバー部材は、溝幅方向に関して、溝部を覆う本体部と、該本体部の両側縁から延設された第１接支部と第２接支部を備えており、前記本体部は、前記溝部を上方から覆うと共に前記支持部材により支持され、前記第１接支部及び第２接支部は、第１床構築物と第２床構築物の対向する前記溝岸部にオーバラップ状態で接支され、第１接支部を第１床構築物の前記溝岸部に含まれる敷板の凹部又は凸部に着脱自在に固定する固定手段を設けて成る点にある。
【００２４】
好ましい実施形態において、第１床構築物の前記溝岸部に含まれる敷板は、前記凹部の貫通孔に挿脱自在に進退移動させられる連結ロッドを備えると共に、該連結ロッドを手動操作により進退移動させる操作開口部を敷板の上面に開設しており、前記カバー部材の第１接支部は、下面に前記凹部に嵌入される固定具を設けると共に、該固定具に前記凹部の貫通孔に連通する固定孔を設け、更に、前記操作開口部に臨む切欠き部を形成している。
【００２５】
前記カバー部材の第２接支部は、下面に第２床構築物の前記溝岸部に臨むストッパ手段を設けることが好ましい。
【発明の効果】
【００２６】
本発明によれば、仮設床構築物１８の構築に際して、第１床構築物１８Ａと第２床構築物１８Ｂを離間させた状態で構築することにより、溝部１９と配線路２１を形成し、所望の電気ケーブルを配線した後、溝部１９をカバー部材２３で覆う構成であるから、完璧な隠蔽配線が可能であると共に、全体として仮設床構築物１９の構築と同時に配線構造を完成することができ、完成後に配線のための付加的部材や追加工事が必要でなく、作業効率が大幅に向上する。そして、このように離間した第１床構築物１８Ａと第２床構築物１８Ｂの溝岸部１９Ａ、１９Ｂにカバー部材２３を架設状態で取付ける構成であるから、不整地の上で第１床構築物１８Ａと第２床構築物１８Ｂが相互に傾斜状態又は段差を有する状態で構築されている場合でも、何ら不都合を生じることなくカバー部材２３を好適に取付けることができる。しかも、配線を隠蔽するカバー部材２３は、それ自体により床面の一部を構成し、敷板１よりも安価に提供することが可能であるから、全体として仮設床構築物１８の低コスト化に貢献する。更に、カバー部材２３の取付固定手段に関して、敷板１の凹部７又は凸部８含む連結手段６を有効に活用できる固定手段２７及びストッパ手段３２を設けることにより、コスト高を可及的抑制することができる。そして、取付固定状態のカバー部材２３は、中央部の本体部２４が溝部１９の内部の支持部材２０により支持され、第１接支部２５及び第２接支部２６が溝部１９の溝岸部１９Ａ、１９Ｂに接支される構成とされているので、車両等の重量物にも強固に耐えることが可能である。
【図面の簡単な説明】
【００２７】
【図１】仮設床構築物を構築するための従来の敷板を示しており、（Ａ）は敷板を上から見た斜視図、（Ｂ）は敷板を下から見た斜視図である。
【図２】本出願人が開発した敷板群と保持板から成るユニット体を示す斜視図である。
【図３】地面に構築した仮設床構築物に仮設配線保護具を設置した状態を示しており、（Ａ）はフラットな地面に仮設床構築物が構築されている状態を示す断面図、（Ｂ）はフラットでない地面に仮設床構築物が構築されている状態を示す断面図である。
【図４】本発明の１実施形態を示しており、（Ａ）は第１床構築物と第２床構築物の間に形成された溝部をカバー部材により覆う前の状態を示す斜視図、（Ｂ）は主カバー部材の第１接支部に設けた固定具と敷板の凹部を示す斜視図、（Ｃ）は第１端部カバー部材の第１接支部に設けた嵌合具と敷板の凸部を示す斜視図、（Ｄ）は各カバー部材の第２接支部に設けたストッパ手段と敷板の凸部を示す斜視図である。
【図５】溝部を主カバー部材により覆う前の状態を示す斜視図である。
【図６】主カバー部材に関し、（Ａ）は第１接支部の固定具と敷板の凹部を示す斜視図、（Ｂ）は第２接支部のストッパ手段と敷板の凸部を示す斜視図である。
【図７】溝部を主カバー部材により覆った状態を示す斜視図である。
【図８】主カバー部材に関し、（Ａ）は第１接支部の固定具を敷板の凹部に固着した状態を示す斜視図、（Ｂ）は第２接支部のストッパ手段を敷板の凸部に臨ませた状態を示す斜視図である。
【図９】第１端部カバー部材に関し、（Ａ）は溝部を第１端部カバー部材により覆う前の状態を示す斜視図、（Ｂ）は溝部を第１端部カバー部材により覆った状態を示す斜視図である。
【図１０】第２端部カバー部材に関し、（Ａ）は溝部を第２端部カバー部材により覆う前の状態を示す斜視図、（Ｂ）は溝部を第２端部カバー部材により覆った状態を示す斜視図である。
【図１１】第２端部カバー部材に関して、（Ａ）は第１接支部の嵌合具を敷板の凸部に嵌合した状態を示す斜視図、（Ｂ）は第２接支部のストッパ手段を敷板の凸部に臨ませた状態を示す斜視図である。
【発明を実施するための形態】
【００２８】
以下図面に基づいて本発明の好ましい実施形態を詳述する。
【００２９】
本発明は、上述したユニット体１２を地面上に縦横に隣接して敷設し、隣り合うユニット体１２を相互に着脱自在に連結するように仮設床構築物１８を構築する。上述のように、各ユニット体１２は、複数の敷板１を縦横に列設すると共に隣り合う敷板を相互に連結手段６により連結した敷板群１３と、前記敷板群１３の下面全体に重ねられ部分的に固着された保持板１４により構成されている。
【００３０】
（床構築物の構築と溝部の形成工程）
図４（Ａ）に示すように、仮設床構築物１８の構築に際し、縦横方向の１方向に関して分離した第１床構築物１８Ａと第２床構築物１８Ｂを構築し、第１床構築物１８Ａと第２床構築物１８Ｂを離間させることにより、その間に所定の溝幅Ｗを有する帯状の溝部１９が形成される。つまり、離間した状態で構築された第１床構築物１８Ａと第２床構築物１８Ｂは、相互に対向する敷板の列により構成された溝岸部１９Ａ、１９Ｂを有しており、両溝岸部１９Ａ、１９Ｂの離間空間により、地面上に溝部１９が形成される。
【００３１】
（配線路の形成工程）
前記溝部１９を形成する地面上に、該溝部の長手方向に延びる複数本（図例では４本）の支持部材２０を溝幅方向に間隔をあけて並設し、これにより、隣り合う支持部材２０、２０の間に位置して複数（図例では３本）の配線路２１を形成する。
【００３２】
支持部材２０は、配線路２１を形成する他、後述するようにカバー部材を支持する目的と機能を有しており、従って、重荷重に耐え得る高強度のものとされ、図示のような金属又は高強度樹脂を素材とする角パイプ材により形成することが好ましい。また、支持部材２０は、溝部１９の地面に直接載置しても良いが、図示のように、溝部１９の地面に座板２２を敷き、その上に支持部材２０を設置するのが好ましい。これにより、荷重を受けた支持部材２０が地面にめり込むことを防止し、しかも、座板２２により配線路２１の底壁を好適に形成することができる。尚、支持部材２０は、長手方向に関して、１本の支持部材２０が溝部１９の全長にわたる長尺とされたものを使用しても良いが、図示のように複数本の支持部材２０を連設させても良い。
【００３３】
（配線工程と溝部の被覆工程）
図示省略しているが、前記配線路２１に電気ケーブルを挿通させ（配線工程）、その後、前記溝部１９を上方からカバー部材２３により覆い（溝部の被覆工程）、これにより、配線構造を備えた仮設床構築物が構築される。カバー部材２３は、車両等の走行時の荷重に耐え得る高強度のものとされ、金属又は高強度樹脂を素材とする所定肉厚の平板により形成されている。
【００３４】
カバー部材２３は、溝幅方向に関して、溝部１９を覆う本体部２４と、該本体部２４の両側縁から延設された第１接支部２５及び第２接支部２６を備えている。本体部２４により溝部１９を覆うと、該本体部２４は、前記支持部材２０に載置された状態で支持され、第１接支部２５が第１床構築物１８Ａの溝岸部１９Ａにオーバラップ状態で接支されると共に、第２接支部２６が第２床構築物１８Ｂの溝岸部１９Ｂにオーバラップ状態で接支される。
【００３５】
このため、上述の保護板１４の上に敷板１を敷設したユニット体１２により構成された床構築物１８と、前記座板２２の上に設置した支持部材２０は、敷板１と支持部材２０の上面が面一とされるように高さ寸法が形成されており、これにより、カバー部材２３は、溝部１９を覆った状態で、本体部２４が支持部材２０に接支され、第１接支部２５及び第２接支部２６が溝岸部１９Ａ、１９Ｂに接支される。
【００３６】
好ましくは、図４（Ａ）に示すように、カバー部材２３は、主カバー部材２３ａと、第１端部カバー部材２３ｂと、第２端部カバー部材２３ｃの３種類のカバー部材により構成されており、主カバー部材２３ａは、複数枚（図例では３枚）が使用される。このようにカバー部材２３を分割形成することにより、溝部１９の被覆作業を容易にすると共に、溝長手方向に短く形成した端部カバー部材２３ｂ、２３ｃと組み合わせることにより、敷板１の所定枚数により形成された溝岸部１９Ａ、１９Ｂの全長に一致した被覆構造が可能になる。尚、本明細書において、これらの３種類のカバー部材２３ａ、２３ｂ、２３ｃを区別しない場合は、単にカバー部材２３として説明する。
【００３７】
カバー部材２３の第１接支部２５の下面には、第１床構築物１８Ａの溝岸部１９Ａに含まれる敷板１の凹部７又は凸部８に対して着脱自在に固定される固定手段２７が設けられている。
【００３８】
この際、主カバー部材２３ａと第１端部カバー部材２３ｂの第１接支部２５に設けられる固定手段２７は、図４（Ｂ）に示すような固定具２８により形成されている。該固定具２８は、第１接支部２５を溝岸部１９Ａにオーバラップ状態で接支させたとき、前記敷板１の凹部７に嵌入される金具により形成されており、嵌入状態で凹部７の貫通孔７ａに連通する固定孔２９を設けている。
【００３９】
図示実施形態の場合、第２端部カバー部材２３ｃに関しては、その第１接支部２５がオーバラップ状態で接支される溝岸部１９Ａに敷板１の凹部７が存在しておらず、凸部８だけが存在している。このため、第２端部カバー部材２３ｃに設ける固定手段２７は、図４（Ｃ）に示すような嵌合具３０により形成されている。該嵌合具３０は、第１接支部２５を溝岸部１９Ａにオーバラップ状態で接支させたとき、前記敷板１の凸部８を抱持状に嵌合する金具により形成されており、嵌合状態で凸部８の貫通孔８ａに連通させられる固定孔３１を設けている。
【００４０】
カバー部材２３（主カバー部材２３ａ、第１端部カバー部材２３ｂ、第２端部カバー部材２３ｃ）の第２接支部２６の下面には、第２床構築物１８Ｂの溝岸部１９Ｂに含まれる敷板１の凸部８に臨まされるストッパ手段３２が設けられており、該ストッパ手段３２は、図４（Ｄ）に示すような長手方向に延びる断面Ｌ形のアングル金具３３により形成されている。
【００４１】
（主カバー部材）
図５及び図６は、主カバー部材２３ａを溝部１９の上方に臨ませた状態を示している。図示のように、主カバー部材２３ａは、第１接支部２５の下面に、第１床構築物１８Ａの溝岸部１９Ａに含まれる複数の敷板１、１の凹部７、７に対応する複数の固定具２８、２８を設け、該固定具２８の近傍に位置して第１接支部２５の縁部に切欠き部３４を形成している。
【００４２】
図１に基づいて上述したように、敷板１は、凹部７の貫通孔７ａに対して連結ロッド９を手動操作で進退移動させるための操作開口部１０ａを設けている。そこで、前記切欠き部３４は、固定具２８を凹部７に嵌入したとき、前記操作開口部１０ａに臨み、該操作開口部１０ａの上部空間を開放するように形成されている。
【００４３】
尚、主カバー部材２３ａの第２接支部２６の下面には、アングル金具３３から成るストッパ手段３２が設けられている。
【００４４】
図７に示すように、主カバー部材２３ａは、固定具２８をこれに対応する第１床構築物１８Ａの溝岸部１９Ａにおける敷板１の凹部７に嵌入させ、ストッパ手段３３を第２床構築物１８Ｂの溝岸部１９Ｂにおける敷板１の凸部８に臨ませることにより、溝部１９を上方から覆い閉鎖する。
【００４５】
主カバー部材２３ａと第１床構築物８Ａの間においては、図８（Ａ）に示すように、前記固定具２８を凹部７に嵌入させた状態で、切欠き部３４と操作開口部１０ａを介して連結ロッド９を移動させ、該連結ロッド９を凹部７の貫通孔７ａと固定具２８の固定孔２９に挿通させ、固定具２８と凹部７を相互に連結する。これにより、主カバー部材２３ａは、第１接支部２５を第１床構築物１８Ａの溝岸部１９Ａに接支した状態で連結される。
【００４６】
主カバー部材２３ａと第２床構築物８Ｂの間においては、図８（Ｂ）に示すように、ストッパ手段３３が敷板１の凸部８に近接した状態で臨まされ、相互に溝幅方向の移動を阻止する。これにより、主カバー部材２３ａは、第２接支部２６を第２床構築物１８Ｂの溝岸部１９Ｂに位置ずれが生じない状態で接支される。
【００４７】
（第１端部カバー部材）
図９（Ａ）は、第１端部カバー部材２３ｂを溝部１９の上方に臨ませた状態を示し、図９（Ｂ）は、第１端部カバー部材２３ｂにより溝部１９を覆った状態を示している。第１端部カバー部材２３ｂは、第１接支部２５の下面に、第１床構築物１８Ａの溝岸部１９Ａに含まれる複数の敷板１の凹部７に対応する固定具２８を設け、該固定具２８の近傍に位置して切欠き部３４を形成している。尚、第２接支部２６の下面にストッパ手段３２が設けられていることは前述した通りである。
【００４８】
従って、第１端部カバー部材２３ｂは、上述した主カバー部材２３ａと同様の方法より、第１接支部２５を第１床構築物１８Ａの溝岸部１９Ａに接支した状態で連結され、第２接支部２６を第２床構築物１８Ｂの溝岸部１９Ｂに接支した状態で固定される。
【００４９】
（第２端部カバー部材）
図１０（Ａ）は、第２端部カバー部材２３ｃを溝部１９の上方に臨ませた状態を示し、図１０（Ｂ）は、第２端部カバー部材２３ｃにより溝部１９を覆った状態を示している
【００５０】
第２端部カバー部材２３ｃと第１床構築物８Ａの間においては、図１１（Ａ）に示すように、嵌合具３０がこれに対応する敷板１の凸部８を抱持状に嵌合し、第１接支部２５を第１床構築物１８Ａの溝岸部１９Ａに接支した状態で固定される。この際、図示省略しているが、別途用意したロッドないしピンから成る連結軸部材を凸部８の貫通孔８ａと嵌合具３０の固定孔３１に挿通させることにより、嵌合具３０と凸部８を相互に連結することができる。敷板１は、凸部８の貫通孔８ａに挿入される連結ロッド（上述の連結ロッド９）を備えていないが、第２端部カバー部材２３ｃは、溝岸部１９Ａの端部に位置する敷板１の上に配置されるので、溝部１９の端部から第１接支部２５の下方空間（溝部の内部）に手指を挿入することが可能であり、別途用意した連結軸部材を挿通させることが可能である。
【００５１】
尚、第２端部カバー部材２３ｃと第２床構築物８Ｂの間においては、図１１（Ｂ）に示すように、主カバー部材２３ａ及び第１端部カバー部材２３ｂと同様、ストッパ手段３３が敷板１の凸部８に近接した状態で臨まされ、第２接支部２６を第２床構築物１８Ｂの溝岸部１９Ｂに位置ずれが生じない状態で接支される。
【００５２】
（産業上の利用性）
以上のように、本発明は、仮設床構築物１８の構築に際して、第１床構築物１８Ａと第２床構築物１８Ｂを離間させた状態で構築することにより、溝部１９と配線路２１を形成し、所望の電気ケーブルを配線した後、溝部１９をカバー部材２３で覆う構成であるから、完璧な隠蔽配線が可能であると共に、全体として仮設床構築物１９の構築と同時に配線構造を完成することができ、完成後に配線のための付加的部材や追加工事が必要でなく、作業効率が大幅に向上する。そして、このように離間した第１床構築物１８Ａと第２床構築物１８Ｂの溝岸部１９Ａ、１９Ｂにカバー部材２３を架設状態で取付ける構成であるから、不整地の上で第１床構築物１８Ａと第２床構築物１８Ｂが相互に傾斜状態又は段差を有する状態で構築されている場合でも、何ら不都合を生じることなくカバー部材２３を好適に取付けることができる。しかも、配線を隠蔽するカバー部材２３は、それ自体により床面の一部を構成し、敷板１よりも安価に提供することが可能であるから、全体として仮設床構築物１８の低コスト化に貢献する。更に、カバー部材２３の取付固定手段に関して、敷板１の凹部７又は凸部８含む連結手段６を有効に活用できる固定手段２７及びストッパ手段３２を設けることにより、コスト高を可及的抑制することができる。そして、取付固定状態のカバー部材２３は、中央部の本体部２４が溝部１９の内部の支持部材２０により支持され、第１接支部２５及び第２接支部２６が溝部１９の溝岸部１９Ａ、１９Ｂに接支される構成とされているので、車両等の重量物にも強固に耐えることが可能である。
【符号の説明】
【００５３】
１  敷板
２  天板
３  踏面
４  側壁
５  補強リブ
６  連結手段
７  凹部
７ａ  貫通孔
８  凸部
８ａ  貫通孔
９  連結ロッド
１０  格納部
１０ａ  操作開口部
１１  操作片
１２  ユニット体
１３  敷板群
１４  保持板
１５  仮設配線保護具
１６  ベース
１７  カバー
１８  仮設床構築物
１８Ａ  第１仮設床構築物
１８Ｂ  第２仮設床構築物
１９  溝部
１９Ａ、１９Ｂ  溝岸部
２０  支持部材
２１  配線路
２２  座板
２３  カバー部材
２３ａ  主カバー部材
２３ｂ  第１端部カバー部材
２３ｃ  第２端部カバー部材
２４  本体部
２５  第１接支部
２６  第２接支部
２７  固定手段
２８  固定具
２９  固定孔
３０  嵌合具
３１  固定孔
３２  ストッパ手段
３３  アングル金具
３４  切欠き部
【図１】
2018003381.tif 000003
【図２】
2018003381.tif 000004
【図３】
2018003381.tif 000005
【図４】
2018003381.tif 000006
【図５】
2018003381.tif 000007
【図６】
2018003381.tif 000008
【図７】
2018003381.tif 000009
【図８】
2018003381.tif 000010
【図９】
2018003381.tif 000011
【図１０】
2018003381.tif 000012
【図１１】
2018003381.tif 000013